(57)【要約】【課題】測定子による測定圧力を減らすことができて、被測定物の凹みの発生を防止できると共に、迅速に多数個所に渡って測定可能な板厚測定治具を提供する。【解決手段】可動測定子２２と固定測定子２１との間に被測定物５を挟んでその厚さを測定する板厚測定治具において、可動測定子を移動させる操作機構３が、可動測定子を移動させる手動のレバー３３、レバーと可動測定子間に介装されるばね３２、レバーの動きを規制するストッパ３４及び可動測定子を元の位置に戻す復元ばね３１とから構成されていて、可動測定子の移動量が、可動測定子の頂部に当接している変位計測定子４２を介して変位計に表示される。【選択図】　　　図１
2004077198.tif 000002
【特許請求の範囲】
【請求項１】
操作機構により可動測定子を移動させて、固定測定子との間に被測定物を挟んで、前記可動測定子の移動量から前記被測定物の厚さを測定する板厚測定治具において、
前記操作機構が、前記可動測定子を前記固定測定子に向けて移動させる手動のレバーと、前記レバーと前記可動測定子間に介装されるばねと、前記レバーの動きを規制するストッパと、前記レバーを解除したときに、前記可動測定子を元の位置に戻す復元ばねとからなり、前記可動測定子の移動量が変位計に表示又は出力されることを特徴とする板厚測定治具。
【請求項２】
前記変位計又は前記変位計に出力する制御機器が、最小値保持機能を有していることを特徴とする請求項１に記載の板厚測定治具。
【請求項３】
前記変位計又は前記変位計に出力する制御機器が、上下値設定機能を有することを特徴とする請求項１に記載の板厚測定治具。
【請求項４】
前記固定測定子及び可動測定子とが、その頂部の形状が異なっている他の固定測定子及び可動測定子と交換可能であることを特徴とする請求項１〜３のいずれか一項に記載の板厚測定治具。
【発明の詳細な説明】
【０００１】
【発明の属する技術分野】
本発明は、可動測定子と固定測定子とで薄板等の被測定物を挾み込んで、被測定物の厚さを測定する板厚測定治具に関する。
【０００２】
【従来の技術】
薄板等の被測定物の厚さ測定方法として、従来より「ポイントマイクロメータ」による測定や、断面を拡大投影する等の測定方法があるが、前者では測定に可動測定子の移動をスクリューを使って行っているために押圧力が高く、材質によっては被測定物が可動測定子の押圧力によりその表面が凹んで、正確な測定数値が得られない場合があり、また、後者では樹脂埋め、切断、研磨、投影と測定に多大な時間がかかるうえ、切断した部分以外の板厚はわからないという問題があった。このため樹脂部品や軟質アルミ部品の最薄肉部を探すような測定では信頼性の高い測定値を得ることができなかった。
【０００３】
【発明が解決しようとする課題】
本発明は、上記問題に鑑みてなされたものであり、その目的は、被測定物の表面にかける可動測定子の押圧力を減らすことができ、正確に被測定物の厚さを測定できると共に、迅速に多数箇所にわたって被測定物の厚さを測定することができる板厚測定治具を提供することである。
【０００４】
【課題を解決するための手段】
本発明は、前記課題を解決するための手段として、特許請求の範囲の各請求項に記載の板厚測定治具を提供する。
請求項１に記載の板厚測定治具は、可動測定子を移動して固定測定子との間に被測定物を挟んでその厚さを測定する板厚測定治具における可動測定子を移動させる操作機構が、可動測定子を固定測定子に向けて移動させる手動のレバーと、レバーと可動測定子間に介装されるばねと、レバーの動きを規制するストッパと、可動測定子を元の位置に戻す復元ばねとからなり、この可動測定子の移動量が変位計に表示又は出力されるようにしたものである。これによって、レバーの押し下げ及び開放だけの単純な操作で、被測定物の厚さを短時間で測定することができる。また、レバーはストッパによりその動きを停止するので、特別な注意を払うことなく繰り返し同じ押圧力（測定圧力）で被測定物を測定できる。更には、ばねは復元ばねを相殺する力があればよいので、ばね圧を極く弱く設定してやることで、被測定物に生じる測定子による凹みを防止することができ、正確な厚さ測定が可能となる。
【０００５】
請求項２の板厚測定治具は、変位計又は変位計に出力する制御機器が最小値保持機能を有するようにしたものであり、これにより、被測定物の最小板厚を迅速に測定することができる。
請求項３の板厚測定治具は、変位計又は変位計に出力する制御機器が上下限値設定機能を有するようにしたものであり、これにより、被測定物の合否判定を容易かつ迅速に行うことができる。
【０００６】
請求項４の板厚測定治具は、固定測定子及び可動測定子とを、その先端部形状が異なっている他の固定測定子及び可動測定子と交換可能としたものであり、これにより、更に材質の軟い被測定物や変形し易い被測定物の測定も可能である。
【０００７】
【発明の実施の形態】
以下、図面に従って本発明の実施の形態の板厚測定治具について説明する。図１は、本発明の板厚測定治具の正面図及び測面図である。この板厚測定治具は、治具本体１と、測定子２と、操作機構３と、変位計４とから構成されている。
【０００８】
治具本体１は、測定子２を保持している本体部１１と、変位計４を支持しているホルダ部１２とから構成されてる。本体部１１は、コの字形をしていて、一方、ホルダ部１２は倒立Ｌ字形をしており、この両者１１，１２は、ボルト等の固定具１３により一体的に固着されている。
【０００９】
測定子２は、固定測定子２１と可動測定子２２とから構成されており、固定測定子２１は、本体部１１のコの字形の下方の突出部１１ａに取り外し可能に固定され、一方の可動測定子２２は、本体部１１のコの字形の上方の突出部１１ｂに移動可能に挿入支持されていて、これらの両測定子２１，２２はその軸線が一致するように配置されている。また、両測定子２１，２２の先端部は、図１に拡大図で示すように、半径Ｒ＝０．４ｍｍの丸みが付けられている。この先端部の丸み形状は、被測定物５の材質の柔らかさや、変形のし易さに応じて、半径Ｒの数値を種々変更した丸み形状のものを採用することができ、適宜交換して使用できる。通常、固定測定子２１と可動測定子２２とは一定の間隔を維持している。
【００１０】
操作機構３は、復元ばね３１、ばね３２、レバー３３及びストッパ３４とよりなる。可動測定子２２は、レバー３３によって復元ばね３１とばね３２に抗して押し下げられる構造となっている。レバー３３は、その一端がホルダ部１２に固定され、他端が自由端となっており、この自由端側を手で操作する。レバー３３と可動測定子２２との間には、ばね３２が介装され、また可動測定子２２と本体部１１との間には、復元ばね３１が介装されている。復元ばね３１は、レバー３３によって押し下げられた可動測定子２２を、レバー３３による押し下げを解除したときに、可動測定子２２を元の位置に戻す働きをしている。ばね３３は、復元ばね３１を相殺するだけのスプリング力を有しており、レバー３３の押し下げ力を緩衝している。また、操作機構３には、レバー３３の下方への動きを規制するストッパ３４が設けられており、レバー３３の押し下げ力を一定に保つ働きをしている。ストッパ３４は、図１においては、本体部１１に植え込まれたボルトであり、その高さは任意に調整できる。
【００１１】
変位計４は、好ましくはデジタル変位計であり、表示部４１と変位計測定子４２とよりなり、治具本体１のホルダ部１２に固定されている。変位計測定子４２の先端は可動測定子２２の頂部に常に接しており、可動測定子２２の移動に従って、変位計測定子４２も変位するようになっている。
なお、この実施形態では、可動測定子２２の移動量が直接変位計４に表示されるようになっているが、この移動量を制御機器を介して変位計に出力するようにしてもよい。
【００１２】
次に以上のように構成された本発明の板厚測定治具による測定手順について説明する。まず、手動によってレバー３３を押し下げると、ばね３２によって与えられた押し下げ力（測定力）が復元ばね３１の付勢力に打ち勝って、可動測定子２２は固定測定子２１にその先端同志が接触する。固定測定子２１の先端の位置は、可動測定子２２を介して変位計測定子４２に伝わり、変位計４に表示又は出力される。この状態を基準に設定する。レバー３３を放せば復元ばね３１によって可動測定子２２は上昇し、元の位置に戻る。
次に、固定測定子２１の先端と可動測定子２２の先端との間に被測定物５を挟むと、可動測定子２２の位置が変化し、その変化量（厚さ）は、変位計測定子４２を介して変位計４に表示又は出力される。
【００１３】
なお、本実施形態では、変位計４又は変位計４に移動量を出力する制御機器に最小値保持機能を有するようにしてもよいし、また上下限設定機能を有するようにしてもよい。このような機能をもたせることにより、被測定物５の最小板厚を迅速に測定できるし、また被測定物５の合否判定を行うこともできる。
【００１４】
以上説明したように、本発明においては、被測定物の測定をレバーの押し下げと開放の動作だけで行えるので、従来のマイクロータと比較して測定が短時間で行える。また、レバーはストッパに当ったところで停止するので、特別な注意を払わなくても、繰り返し同じ測定圧力で測定が行え、ぶれのない測定が可能である。更には、ばねは復元ばねを相殺するだけの付勢力があればよいので、被測定物に応じて交換して、極く弱く付勢力を設定して、被測定物に凹みが発生するのを防止することができる。
また、固定測定子及び可動測定子の先端部の形状を変更することによって、板厚以外の変形し易い被測定物の他部位の寸法測定を行うことも可能である。
【図面の簡単な説明】
【図１】本発明の実施の形態の板厚測定治具の正面図及び側面図である。
【符号の説明】
１…治具本体
１１…本体部
１２…ホルダ部
２…測定子
２１…固定測定子
２２…可動測定子
３…操作機構
３１…復元ばね
３２…ばね
３３…レバー
３４…ストッパ
４…変位計
４１…表示部
４２…変位計測定子
５…被測定物
【図１】
2004077198.tif 000003